(57)【要約】  本技術は、より適切に、動画ボケを改善することができるようにする信号処理装置、信号処理方法、及び表示装置に関する。映像コンテンツの特徴量に基づいて、映像コンテンツに含まれる映像の中から、動画ボケを視認しやすい映像である動画ボケ映像を検出する検出部を備える信号処理装置が提供されることで、より適切に、動画ボケを改善することができる。本技術は、例えば、液晶表示装置や自発光表示装置等の表示装置に搭載される信号処理装置に適用することができる。
2019124254.tif 000002
【特許請求の範囲】
【請求項１】
映像コンテンツの特徴量に基づいて、前記映像コンテンツに含まれる映像の中から、動画ボケを視認しやすい映像である動画ボケ映像を検出する検出部を備える
信号処理装置。
【請求項２】
検出された前記動画ボケ映像の検出結果に基づいて、前記映像コンテンツの映像を表示する表示部の発光部の駆動を制御する制御部をさらに備える
請求項１に記載の信号処理装置。
【請求項３】
前記検出部は、１又は複数設けられ、
前記制御部は、１又は複数の前記検出部により検出される前記動画ボケ映像の視認しやすさの度合いに応じて、前記発光部に対し、インパルス型の駆動が行われるように制御する
請求項２に記載の信号処理装置。
【請求項４】
前記特徴量は、前記映像コンテンツの映像に含まれる物体の動きを示す動画量を含み、
前記検出部は、前記映像コンテンツから、前記動画量を検出する
請求項３に記載の信号処理装置。
【請求項５】
前記特徴量は、前記映像コンテンツの映像に含まれるエッジ部分を示すエッジ量を含み、
前記検出部は、前記映像コンテンツから、前記エッジ量を検出する
請求項３に記載の信号処理装置。
【請求項６】
前記特徴量は、前記映像コンテンツの映像の輝度を示す輝度情報を含み、
前記検出部は、前記映像コンテンツから、前記輝度情報を検出する
請求項３に記載の信号処理装置。
【請求項７】
前記制御部は、検出された前記動画量が閾値を超える場合に、前記発光部に対し、インパルス型の駆動が行われるように制御する
請求項４に記載の信号処理装置。
【請求項８】
前記制御部は、検出された前記エッジ量が閾値を超える場合に、前記発光部に対し、インパルス型の駆動が行われるように制御する
請求項５に記載の信号処理装置。
【請求項９】
前記制御部は、ピーク輝度を重視しない映像の場合に、前記発光部に対し、インパルス型の駆動が行われるように制御する
請求項６に記載の信号処理装置。
【請求項１０】
前記制御部は、インパルス型の駆動時に、前記発光部に対し、通常の駆動時よりも点灯期間を短くするとともに、電流を上げるように駆動を制御する
請求項３に記載の信号処理装置。
【請求項１１】
前記検出部は、前記映像コンテンツの映像の領域を分割した分割領域ごとに、前記動画ボケ映像を検出し、
前記制御部は、前記分割領域ごとの前記動画ボケ映像の検出結果に基づいて、前記分割領域ごとに、前記発光部の駆動を制御する
請求項２に記載の信号処理装置。
【請求項１２】
前記制御部は、前記映像コンテンツの映像内の全領域の前記動画ボケ映像の検出結果、及び前記分割領域ごとの前記動画ボケ映像の検出結果に基づいて、前記発光部の駆動を制御する
請求項１１に記載の信号処理装置。
【請求項１３】
前記特徴量は、前記映像コンテンツの映像に含まれるグラフィックスのグラフィック量を含む
請求項３に記載の信号処理装置。
【請求項１４】
前記制御部は、前記グラフィック量が閾値を超える場合、前記発光部に対するインパルス型の駆動を抑制する
請求項１３に記載の信号処理装置。
【請求項１５】
前記表示部は、液晶表示部を含み、
前記発光部は、前記液晶表示部に対して設けられるバックライトを含み、
前記制御部は、前記動画ボケ映像の視認しやすさの度合いに応じて、前記バックライトの点灯期間及び電流値を制御する
請求項３に記載の信号処理装置。
【請求項１６】
前記液晶表示部は、表示画面を区分した複数の部分表示領域を含み、
前記バックライトは、各部分表示領域に対応する複数の部分発光部を含み、
前記制御部は、ピーク輝度を重視しない映像の場合に、前記部分発光部に対し、インパルス型の駆動が行われるようにする制御する
請求項１５に記載の信号処理装置。
【請求項１７】
前記バックライトは、KSF蛍光体を採用したLED(Light Emitting Diode)バックライトを含み、
前記制御部は、前記LEDバックライトに対し、赤色の応答の遅れに起因した残像の度合いに応じた点灯の周期となるように制御する
請求項１５に記載の信号処理装置。
【請求項１８】
前記制御部は、前記映像コンテンツの映像に含まれる残像の視認性の検出結果に基づき、残像の度合いを判別し、その判別結果に応じて残像を低減するように、前記LEDバックライトの点灯の周期を制御する
請求項１７に記載の信号処理装置。
【請求項１９】
前記表示部は、自発光表示部を含み、
前記発光部は、自発光素子を含み、
前記自発光素子は、前記自発光表示部に２次元状に配置された画素を構成するサブ画素ごとに設けられ、
前記制御部は、前記動画ボケ映像の視認しやすさの度合いに応じて、前記自発光素子の点灯期間と電流値を制御する
請求項３に記載の信号処理装置。
【請求項２０】
前記制御部は、前記画素に印加される印加電流に関する印加電流情報に基づいて、前記発光部の駆動を制御する
請求項１９に記載の信号処理装置。
【請求項２１】
前記制御部は、前記印加電流が閾値を超える前記画素が所定の条件を満たす場合、前記発光部に対するインパルス型の駆動を抑制する
請求項２０に記載の信号処理装置。
【請求項２２】
信号処理装置の信号処理方法において、
前記信号処理装置が、
映像コンテンツの特徴量に基づいて、前記映像コンテンツに含まれる映像の中から、動画ボケを視認しやすい映像である動画ボケ映像を検出する
信号処理方法。
【請求項２３】
映像コンテンツの映像を表示する表示部と、
前記映像コンテンツの特徴量に基づいて、前記映像コンテンツに含まれる映像の中から、動画ボケを視認しやすい映像である動画ボケ映像を検出する検出部と、
検出された前記動画ボケ映像の検出結果に基づいて、前記表示部の発光部の駆動を制御する制御部と
を備える表示装置。
【発明の詳細な説明】
【技術分野】
【０００１】
本技術は、信号処理装置、信号処理方法、及び表示装置に関し、特に、より適切に、動画ボケを改善することができるようにした信号処理装置、信号処理方法、及び表示装置に関する。
【背景技術】
【０００２】
近年、映像装置の表示デバイスとして主流となっている、液晶ディスプレイ（LCD：Liquid Crystal Display）や有機ELディスプレイ（Organic Electro Luminescence Display）は、ホールド型の表示装置である。この種の表示装置では、人間の視覚特性から、動画ボケが発生することが報告されている。【０００３】
この動画ボケの改善方法としては、各種の提案がなされている。例えば、コンテンツに応じたモードの切り替えを行うことで、映像コンテンツの再生時には、１フレームの中で、画素消灯期間を設けた駆動（以下、インパルス駆動ともいう）を行い、動画ボケを軽減するOLED表示装置が提案されている（例えば、特許文献１参照）。
【先行技術文献】
【特許文献】
【０００４】
【特許文献１】特開2011-75636号公報
【発明の概要】
【発明が解決しようとする課題】
【０００５】
しかしながら、特許文献１に開示されている駆動方法であると、映像コンテンツには、動きの速い映像から、静止画に近い映像など、様々な映像が含まれているため、動画ボケが発生しない映像に対しても、インパルス駆動を行ってしまい、動画ボケの改善としては不十分である。【０００６】
本技術はこのような状況に鑑みてなされたものであり、より適切に、動画ボケを改善することができるようにするものである。
【課題を解決するための手段】
【０００７】
本技術の一側面の信号処理装置は、映像コンテンツの特徴量に基づいて、前記映像コンテンツに含まれる映像の中から、動画ボケを視認しやすい映像である動画ボケ映像を検出する検出部を備える信号処理装置である。【０００８】
本技術の一側面の信号処理方法は、信号処理装置の信号処理方法において、前記信号処理装置が、映像コンテンツの特徴量に基づいて、前記映像コンテンツに含まれる映像の中から、動画ボケを視認しやすい映像である動画ボケ映像を検出する信号処理方法である。【０００９】
本技術の一側面の信号処理装置、及び信号処理方法においては、映像コンテンツの特徴量に基づいて、前記映像コンテンツに含まれる映像の中から、動画ボケを視認しやすい映像である動画ボケ映像が検出される。【００１０】
本技術の一側面の表示装置は、映像コンテンツの映像を表示する表示部と、前記映像コンテンツの特徴量に基づいて、前記映像コンテンツに含まれる映像の中から、動画ボケを視認しやすい映像である動画ボケ映像を検出する検出部と、検出された前記動画ボケ映像の検出結果に基づいて、前記表示部の駆動を制御する制御部とを備える表示装置である。【００１１】
本技術の一側面の表示装置においては、映像コンテンツの映像が表示され、前記映像コンテンツの特徴量に基づいて、前記映像コンテンツに含まれる映像の中から、動画ボケを視認しやすい映像である動画ボケ映像が検出され、検出された前記動画ボケ映像の検出結果に基づいて、前記表示部の駆動が制御される。【００１２】
本技術の一側面の信号処理装置、又は表示装置は、独立した装置であってもよいし、１つの装置を構成している内部ブロックであってもよい。
【発明の効果】
【００１３】
本技術の一側面によれば、より適切に、動画ボケを改善することができる。【００１４】
なお、ここに記載された効果は必ずしも限定されるものではなく、本開示中に記載されたいずれかの効果であってもよい。
【図面の簡単な説明】
【００１５】
【図１】本技術を適用した液晶表示装置の一実施の形態の構成の例を示すブロック図である。
【図２】本技術を適用した自発光型表示装置の一実施の形態の構成の例を示すブロック図である。
【図３】本技術を適用したインパルス駆動の概念を示す図である。
【図４】第１の実施の形態の信号処理部の構成の例を示すブロック図である。
【図５】液晶表示装置のバックライトの部分駆動の例を示す図である。
【図６】液晶表示装置のバックライトの部分駆動時に明るさ改善を行う場合の例を示す図である。
【図７】インパルス駆動判定処理の流れを説明するフローチャートである。
【図８】第２の実施の形態の信号処理部の構成の例を示すブロック図である。
【図９】第２の実施の形態のインパルス駆動の概念を示す図である。
【図１０】KSF蛍光体を採用したLEDバックライト使用時のLEDの発光タイミングと、それに対するＲＧＢの応答特性との関係を示すタイミングチャートである。
【図１１】KSF蛍光体を採用したLEDバックライト使用時に残像が発生した様子を模式的に表した図である。
【図１２】第３の実施の形態の信号処理部の構成の第１の例を示すブロック図である。
【図１３】第３の実施の形態の信号処理部の構成の第２の例を示すブロック図である。
【図１４】第３の実施の形態のBL駆動制御部による駆動周波数の変更の例を示す図である。
【図１５】第４の実施の形態のインパルス駆動の概念を示す図である。
【図１６】第４の実施の形態の信号処理部の構成の第１の例を示すブロック図である。
【図１７】第４の実施の形態の信号処理部の構成の第２の例を示すブロック図である。
【図１８】第４の実施の形態のインパルス駆動判定処理の流れを説明するフローチャートである。
【図１９】画面ブロックごとのGUIの判別の例を示す図である。
【図２０】GUI検出部の詳細な構成の例を示すブロック図である。
【図２１】第５の実施の形態のインパルス駆動の概念を示す図である。
【図２２】第５の実施の形態の信号処理部の構成の第１の例を示すブロック図である。
【図２３】第５の実施の形態の信号処理部の構成の第２の例を示すブロック図である。
【図２４】第５の実施の形態のインパルス駆動判定処理の流れを説明するフローチャートである。
【図２５】本技術を適用した液晶表示装置の詳細な構成の例を示す図である。
【発明を実施するための形態】
【００１６】
以下、図面を参照しながら本技術の実施の形態について説明する。なお、説明は以下の順序で行うものとする。
【００１７】
１．第１の実施の形態
２．第２の実施の形態
３．第３の実施の形態
４．第４の実施の形態
５．第５の実施の形態
６．表示装置の構成
７．変形例
【００１８】
＜１．第１の実施の形態＞
【００１９】
（液晶表示装置の構成）
図１は、本技術を適用した液晶表示装置の一実施の形態の構成の例を示すブロック図である。
【００２０】
図１において、液晶表示装置１０は、信号処理部１１、表示駆動部１２、液晶表示部１３、バックライト駆動部１４、及びバックライト１５を含む。
【００２１】
信号処理部１１は、そこに入力される映像信号に基づいて、所定の映像信号処理を行う。この映像信号処理では、液晶表示部１３の駆動を制御するための映像信号が生成され、表示駆動部１２に供給される。また、この映像信号処理では、バックライト１５の駆動を制御するための駆動制御信号（BL駆動制御信号）が生成され、バックライト駆動部１４に供給される。
【００２２】
表示駆動部１２は、信号処理部１１から供給される映像信号に基づいて、液晶表示部１３を駆動する。液晶表示部１３は、液晶素子及びTFT(Thin Film Transistor)素子を含む画素を２次元状に配置した表示パネルであり、表示駆動部１２からの駆動に従い、バックライト１５から射出された光を変調することにより表示を行う。
【００２３】
ここで、液晶表示部１３は、例えば、ガラス等から構成される２枚の透明基板の間に液晶材料を封入したものである。これらの透明基板の液晶材料に面した部分には、例えばITO(Indium Tin Oxide)等から構成される透明電極が形成され、液晶材料とともに画素を構成している。なお、液晶表示部１３において、各画素は、例えば、赤色（Ｒ），緑色（Ｇ），青色（Ｂ）の３つのサブ画素により構成される。
【００２４】
バックライト駆動部１４は、信号処理部１１から供給される駆動制御信号（BL駆動制御信号）に基づいて、バックライト１５を駆動する。バックライト１５は、バックライト駆動部１４からの駆動に従い、液晶表示部１３に対し、複数の発光素子により発光した光を射出する。なお、発光素子としては、例えば、LED(Light Emitting Diode)を用いることができる。
【００２５】
（自発光型表示装置の構成）
図２は、本技術を適用した自発光型表示装置の一実施の形態の構成の例を示すブロック図である。
【００２６】
図２において、自発光型表示装置２０は、信号処理部２１、表示駆動部２２、及び自発光表示部２３を含む。
【００２７】
信号処理部２１は、そこに入力される映像信号に基づいて、所定の映像信号処理を行う。この映像信号処理では、自発光表示部２３の駆動を制御するための映像信号が生成され、表示駆動部２２に供給される。
【００２８】
表示駆動部２２は、信号処理部２１から供給される映像信号に基づいて、自発光表示部２３を駆動する。自発光表示部２３は、自発光素子を含む画素を２次元状に配置した表示パネルであり、表示駆動部２２からの駆動に従い、表示を行う。
【００２９】
ここで、自発光表示部２３は、例えば、有機エレクトロルミネッセンス（有機EL）を用いた有機EL表示部（OLED表示部）等の自発光型の表示パネルである。すなわち、自発光表示部２３として、有機EL表示部（OLED表示部）を採用した場合、自発光型表示装置２０は、有機EL表示装置（OLED表示装置）とされる。
【００３０】
OLED(Organic Light Emitting Diode)は、陰極と陽極との間に、有機発光材料を挟んだ構造からなる発光素子であって、有機EL表示部（OLED表示部）に２次元状に配置される画素を構成している。この画素に含まれるOLEDは、映像信号処理によって生成される駆動制御信号（OLED駆動制御信号）に従って駆動される。なお、自発光表示部２３において、各画素は、例えば、赤色（Ｒ），緑色（Ｇ），青色（Ｂ），白色（Ｗ）の４つのサブ画素により構成される。
【００３１】
（本技術のインパルス駆動）
ところで、上述した液晶表示装置１０（図１）や、有機EL表示装置等の自発光型表示装置２０（図２）は、ホールド型の表示装置である。ホールド型の表示装置では、原理的には、表示部に２次元状に配置された画素が、１フレーム間で、同一の輝度での表示（ホールド型表示）を行う。そのため、この種の表示装置では、人間の視覚特性から、動画ボケ（ホールドボケとも称される）が発生することが報告されている。
【００３２】
これに対し、液晶表示装置１０であれば、１フレーム間に、バックライト１５を消灯する期間を設けることで、擬似的にインパルス駆動にすることで、動画ボケを改善することができる。一方で、自発光型表示装置２０では、１フレーム間に画素消灯期間を設けて、擬似的にインパルス駆動を行えば、動画ボケを改善することができる。
【００３３】
このような改善方法は、例えば、下記の非特許文献１に開示されている。
【００３４】
非特許文献１：ディスプレイの時間応答と動画表示画質  栗田泰市郎  ＮＨＫ放送技術研究所  日本視覚学会 VISION Vol. 24, No. 4, 154-163, 2012
【００３５】
しかしながら、この改善方法では、消灯期間を設けることで輝度が下がり、画質劣化を生じてしまう。これに対し、液晶表示部１３に対するバックライト１５や、自発光表示部２３を構成する自発光素子に供給する電流を増加させることで、画質劣化を抑えることが可能にはなるが、消費電力や温度の上昇、デバイスの短寿命化を促進するという懸念がある。
【００３６】
なお、上述したように、特許文献１に開示されているOLED表示装置では、コンテンツに応じたモードの切り替えを行うことで、映像コンテンツの再生時には、１フレームの中で、画素消灯期間を設けたインパルス駆動を行っている。
【００３７】
しかしながら、この駆動方法であると、映像コンテンツには、動きの速い映像から、静止画に近い映像など、様々な映像が含まれているため、動画ボケが発生しない映像に対しても、インパルス駆動を行ってしまい、動画ボケの改善としては不十分である。
【００３８】
そこで、本技術では、映像が、動画ボケを視認しやすいときにインパルス駆動が行われるようにすることで、より適切に、動画ボケを改善することができるようにする。
【００３９】
図３は、本技術を適用したインパルス駆動の概念を示す図である。
【００４０】
図３において、映像５０１は、液晶表示装置１０の液晶表示部１３に表示された映像である。この映像５０１に含まれる自動車は、図中の左側から右側に向かう方向に走っている。
【００４１】
ここで、動画ボケは、映像内の物体が動いているときに発生する可能性がある。そのため、映像５０１のような、自動車が走っている場面では、動画ボケを視認しやすくなるので、図３のＡの駆動方法による通常駆動の代わりに、図３のＢの駆動方法によって、インパルス駆動が行われるようにする。
【００４２】
すなわち、図３のＡの駆動方法では、一定の電流I1で、かつ、点灯期間T1の間だけ、バックライト１５の発光素子（例えば、LED）を点灯させる駆動が行われている。一方で、図３のＢの駆動方法では、一定の電流I2（I2 > I1）で、かつ、点灯期間T2（T2 < T1）の間だけ、バックライト１５の発光素子（例えば、LED）を点灯させる駆動が行われている。
【００４３】
このように、映像５０１のような、動画ボケを視認しやすくなる場面で、図３のＡの駆動方法から、図３のＢの駆動方法に、駆動方法を切り替えることで、点灯期間が、点灯期間T1から点灯期間T2に短くなった分だけ、消灯期間が長くなる（ΔT(T1 - T2) の分だけ、消灯時間が長くなる）ので、動画ボケを改善することができる。また、この駆動方法の切り替えに際しては、電流I1から電流I2に電流を上げる（ΔI(I2 - I1) の分だけ、電流が上がる）ことで、点灯期間を短くしても、輝度を維持できるようにしている。
【００４４】
換言すれば、本技術では、映像コンテンツの再生中に、映像５０１のような、動画ボケを視認しやすくなる場面となったときに、いわば、明るさを維持したインパルス型の駆動（インパルス駆動）を行うことで、動画ボケを改善して、表示される映像に適合した最適な画質を提供できるようにする。
【００４５】
なお、図３においては、映像５０１が、液晶表示装置１０（図１）の液晶表示部１３に表示された映像であるとして説明したが、自発光型表示装置２０（図２）の自発光表示部２３に表示された映像でも同様に、動画ボケを視認しやすくなる場面で、図３のＡの駆動方法による通常駆動から、図３のＢの駆動方法によるインパルス駆動に、駆動方法を切り替えることができる。
【００４６】
ただし、自発光型表示装置２０においては、図３のＡの駆動方法による通常駆動や、図３のＢの駆動方法によるインパルス駆動を行うに際し、自発光表示部２３の自発光素子（例えば、OLED）の点灯期間と電流値が制御されることになる。
【００４７】
（信号処理部の構成）
図４は、第１の実施の形態の信号処理部の構成の例を示すブロック図である。
【００４８】
図４において、図１の信号処理部１１は、動画ボケ映像検出部１０１、点灯期間演算部１０２、電流値演算部１０３、及び駆動制御部１０４を含む。
【００４９】
動画ボケ映像検出部１０１は、そこに入力される映像コンテンツの映像信号に基づいて、映像コンテンツに含まれる映像の中から、動画ボケを視認しやすい映像（以下、動画ボケ映像という）を検出し、その検出結果を、点灯期間演算部１０２に供給する。
【００５０】
動画ボケ映像検出部１０１は、映像情報取得部１１１、輝度情報取得部１１２、及び解像度情報取得部１１３を含む。
【００５１】
映像情報取得部１１１は、映像コンテンツの映像信号に対する映像情報取得処理を行い、その処理結果を、映像情報として、点灯期間演算部１０２に供給する。
【００５２】
ここで、動画ボケは、映像として表示される物体が動いていないと発生しないため、例えば、映像情報取得処理では、映像内の物体の動きを表す指標として動画量を検出する。
【００５３】
この動画量の検出方法としては、例えば、映像フレーム間の各画素の輝度差分、又は各画素若しくは物体の動きベクトル量を用いて検出することができる。さらに、動画ボケを視認しやすい典型であるテロップの検出や、カメラのパン（パンニング）の検出などを用いて、動画量を検出してもよい。
【００５４】
輝度情報取得部１１２は、映像コンテンツの映像信号に対する輝度情報取得処理を行い、その処理結果を、輝度情報として、点灯期間演算部１０２に供給する。
【００５５】
ここで、例えば、ピーク輝度を重視した映像に対する駆動を行う場合には、インパルス駆動に切り替えないほうがよいときがあり、この輝度情報取得処理では、ピーク輝度情報等の輝度情報を検出することができる。なお、ピーク輝度情報を考慮した駆動例の詳細については、図５及び図６を参照して後述する。
【００５６】
解像度情報取得部１１３は、映像コンテンツの映像信号に対する解像度情報取得処理を行い、その処理結果を、解像度情報として、点灯期間演算部１０２に供給する。
【００５７】
ここで、動画ボケは、映像のエッジ部分で発生し、平坦な部分では発生しないため、例えば、解像度情報取得処理では、映像の空間解像度を解析することにより、映像に含まれるエッジ部分を表す指標としてエッジ量を検出する。
【００５８】
このエッジ量（エッジ部分）の検出方法としては、例えば、特定の周波数のみを通すバンドパスフィルタを複数用いるなどの方法により検出することができる。
【００５９】
なお、動画ボケ映像検出部１０１により検出される映像情報、輝度情報、及び解像度情報は、映像コンテンツの特徴量（映像コンテンツから得られる特徴量）であり、これらの特徴量によって、動画ボケ映像が検出されることになる。また、図４においては、１つの動画ボケ映像検出部１０１を設けた構成を示しているが、複数の動画ボケ映像検出部１０１を設けて、映像コンテンツの映像の特定の部分（領域）ごとに検出が行われるようにしてもよい。
【００６０】
点灯期間演算部１０２には、映像情報取得部１１１からの映像情報と、輝度情報取得部１１２からの輝度情報と、解像度情報取得部１１３からの解像度情報が供給される。
【００６１】
点灯期間演算部１０２は、動画ボケ映像検出部１０１の各取得部から供給される映像情報、輝度情報、及び解像度情報（動画ボケ映像の検出結果）に基づいて、バックライト１５の発光素子（例えば、LED）の点灯期間を算出し、その演算結果に応じたPWM信号を、電流値演算部１０３及び駆動制御部１０４にそれぞれ供給する。
【００６２】
なお、ここでは、バックライト１５に用いられているLED等の発光素子の駆動方式として、点灯と消灯を繰り返すPWM(Pulse Width Modulation)駆動方式が採用されているため、LED等の発光素子の点灯期間に応じたPWM信号が出力される。
【００６３】
電流値演算部１０３は、点灯期間演算部１０２から供給されるPWM信号（点灯期間）と、表示したい輝度との関係から、電流値を算出し、その演算結果を、駆動制御部１０４に供給する。ここで、電流値と、点灯期間と、輝度は、下記の式（１）のような関係を有している。
【００６４】
輝度 = f (電流値) × 点灯期間       ・・・（１）
【００６５】
ここで、式（１）において、f (電流値)は、電流値の増加に伴う輝度上昇の関数である。例えば、発光素子としてLEDを用いたバックライト１５を採用する液晶表示装置１０では、電流と明るさとの関係は、線形には変化しない。これは、バックライト１５を構成するLEDの自己発熱による、発光効率の低減が原因であり、式（１）のf (電流値)は、この特性を加味した関数にする必要がある。
【００６６】
駆動制御部１０４には、点灯期間演算部１０２からのPWM信号（点灯期間）と、電流値演算部１０３からの電流値が供給される。駆動制御部１０４は、PWM信号（点灯期間）及び電流値に基づいて、バックライト１５を点灯させるための駆動制御信号（BL駆動制御信号）を生成し、バックライト駆動部１４（図１）に供給する。
【００６７】
これにより、バックライト駆動部１４は、駆動制御部１０４からの駆動制御信号（BL駆動制御信号）に基づいて、バックライト１５を駆動することになる。
【００６８】
なお、図４においては、液晶表示装置１０（図１）に含まれる信号処理部１１の構成を代表して説明したが、自発光型表示装置２０（図２）に含まれる信号処理部２１についても同様に構成することができる。
【００６９】
ただし、自発光型表示装置２０において、信号処理部２１が、図４に示した構成を採用する場合、後段の自発光表示部２３を駆動することになるため、点灯期間演算部１０２では、自発光表示部２３の自発光素子（例えば、OLED）の点灯期間が算出される。また、駆動制御部１０４では、PWM信号（点灯期間）及び電流値に基づき、自発光表示部２３の自発光素子（例えば、OLED）を点灯させるための駆動制御信号（OLED駆動制御信号）が生成される。
【００７０】
（ピーク輝度情報を考慮した駆動例）
ところで、例えば、液晶表示装置１０においては、バックライト１５として、いわゆる直下型方式のバックライトを採用して、２次元状に配列した複数の部分発光部を有するような構成とすることができる。この部分発光部は、例えば、LED等の発光素子を複数含んで構成することができる。また、各部分発光部は、それぞれ設定された輝度で、独立して発光することができる。
【００７１】
この種のバックライト１５を有する液晶表示装置１０では、部分表示領域ごとに、部分発光部を駆動するに際し、暗い部分の余剰電力を、明るい部分に回して使用することで、輝度を上げる駆動が行われている。
【００７２】
具体的には、図５に示すように、液晶表示部１３に、映像５１１が表示されるとき、バックライト１５では、部分発光部１５１のうち、明るい部分の部分発光部１５１Ｂ（のLED）は、点灯されるが、暗い部分の部分発光部１５１Ａ（のLED）は、消灯される。
【００７３】
図５のＡは、暗い部分の部分発光部１５１Ａの駆動方法を示している。一方で、図５のＢは、明るい部分の部分発光部１５１Ｂの駆動方法を示している。ここで、図５のＢの駆動方法は、図５のＡの駆動方法と比較すれば、一定の電流I11で駆動される点は共通しているが、その点灯期間T12（T12 > T11）が長くなっている（点灯期間T11は、ゼロに近い）。このようにして、映像５１１の明るさに応じて、LEDの点灯量が制御されている。
【００７４】
また、図６においては、バックライト１５において、明るい部分の部分発光部１５１Ｂ（のLED）が点灯され、暗い部分の部分発光部１５１Ａ（のLED）が消灯されている点で、図５に示した駆動方法と共通している。ここで、図６のＡ，Ｂの駆動方法を、図５のＡ，Ｂの駆動方法と比較すれば、点灯期間T11，T12は、同一であるが、その電流I12（I12 > I11）がそれぞれ増加している（ΔI(I12 - I11) の分だけ、電流が増加している）。
【００７５】
すなわち、図６に示した駆動方法では、暗い部分の部分発光部１５１Ａの余剰電力を、明るい部分の部分発光部１５１Ｂに回して使用することで、映像５１１のピーク輝度を上げている。そして、このようなピーク輝度が上げられた映像５１１では、明るい部分の部分発光部１５１Ｂの電流が高いため、図３に示したような、明るさを維持したインパルス駆動を実現することが困難となる。
【００７６】
そこで、本技術では、図６に示した駆動方法のように、ピーク輝度（明るさ）を重視する映像（映像コンテンツ）の場合には、例えば、映像内の物体が動いており、かつ、エッジ部分が多い映像（映像コンテンツ）であったとしても（動画ボケ映像を検出したとしても）、インパルス駆動には切り替えないような制御を行うことができるようにする。
【００７７】
（インパルス駆動判定処理の流れ）
次に、図７のフローチャートを参照して、信号処理部１１により実行されるインパルス駆動判定処理の流れを説明する。
【００７８】
ステップＳ１１において、信号処理部１１は、映像情報取得部１１１により取得された映像情報に含まれる対象の映像内の動画量と、あらかじめ設定される動画量判定用の閾値とを比較することで、対象の映像内の動画量が多いかどうかを判定する。
【００７９】
ステップＳ１１において、動画量が閾値よりも小さい場合、すなわち、動画量が少ないと判定された場合、例えば、対象の映像は静止画であるので、処理は、ステップＳ１４に進められる。ステップＳ１４において、信号処理部１１は、バックライト駆動部１４を制御して、バックライト１５の駆動が、通常駆動により行われるようにする。
【００８０】
ここで、通常駆動とは、上述した図３のＡに示した駆動方法であって、PWM駆動方式で、バックライト１５（のLED等の発光素子）の点灯と消灯のタイミングが、液晶表示部１３への描画と同期して行われるため、PWM周期は、例えば、映像信号のフレーム周波数の整数倍である60Hz，120Hz，240Hz等とされる。
【００８１】
また、ステップＳ１１において、動画量が閾値を超える場合、すなわち、動画量が多いと判定された場合、処理は、ステップＳ１２に進められる。ステップＳ１２において、信号処理部１１は、解像度情報取得部１１３により取得された解像度情報に含まれる対象の映像内のエッジ量（が示すエッジ部分の量）と、あらかじめ設定されるエッジ部分判定用の閾値とを比較することで、対象の映像内のエッジ部分が多いかどうかを判定する。
【００８２】
ステップＳ１２において、エッジ量が閾値よりも小さい場合、すなわち、エッジ部分が少ないと判定された場合、処理は、ステップＳ１４に進められ、信号処理部１１は、バックライト１５の駆動が、通常駆動により行われるようにする（Ｓ１４）。
【００８３】
また、ステップＳ１２において、エッジ量が閾値を超える場合、すなわち、エッジ部分が多いと判定された場合、処理は、ステップＳ１３に進められる。ステップＳ１３において、信号処理部１１は、明るさを重視した駆動を行うかどうかを判定する。ここでは、例えば、図６に示した駆動（ピーク輝度を上げる駆動）を行うか否かによって、明るさを重視した駆動を行うかどうかが判定される。
【００８４】
ステップＳ１３において、明るさを重視した駆動を行うと判定された場合、処理は、ステップＳ１４に進められ、信号処理部１１は、バックライト１５の駆動が、通常駆動により行われるようにする（Ｓ１４）。
【００８５】
ここでは、図６に示した駆動（ピーク輝度を上げる駆動）を行う場合には、明るい部分の部分発光部１５１Ｂの電流が高いため、明るさを維持したインパルス駆動を実現することが困難となることから、通常駆動が行われるようにすることは、先に述べた通りである。
【００８６】
また、ステップＳ１３において、明るさを重視しない駆動を行うと判定された場合、処理は、ステップＳ１５に進められる。ステップＳ１５において、信号処理部１１は、バックライト駆動部１４を制御して、バックライト１５の駆動が、インパルス駆動により行われるようにする。
【００８７】
ここで、インパルス駆動（インパルス型の駆動）は、上述した図３のＢに示した駆動方法であって、通常駆動と比べて、バックライト１５（のLED等の発光素子）の点灯期間を短くする（映像の１フレームの中で、消灯期間を長くする）とともに、電流を上げるようにしている。これにより、動画ボケを視認しやすくなる場面において、動画ボケを改善することができるとともに、輝度を維持することができる。
【００８８】
以上、インパルス駆動判定処理の流れを説明した。なお、図７のインパルス駆動判定処理における各判定処理（Ｓ１１，Ｓ１２，Ｓ１３）の順序は任意であり、また全ての判定処理を行う必要もない。また、判定用の閾値は、各種の条件に応じて適切な値を設定することができる。
【００８９】
なお、図７においては、インパルス駆動判定処理は、液晶表示装置１０の信号処理部１１（図１）により実行されるとして説明したが、自発光型表示装置２０の信号処理部２１（図２）により実行されるようにしてもよい。ただし、信号処理部２１が、インパルス駆動判定処理を実行する場合には、駆動制御の対象が、自発光表示部２３（のOLED等の自発光素子）となる。
【００９０】
また、上述した説明では、動画ボケ映像を検出するための特徴量として、映像コンテンツの特徴量、すなわち、映像コンテンツから得られる映像情報、輝度情報、及び解像度情報を示したが、動画ボケ映像を検出可能であれば、他の情報を用いるようにしてもよい。さらに、動画ボケ映像を検出するに際し、映像情報、輝度情報、及び解像度情報のすべてを用いる必要はなく、それらの情報のうち、少なくとも１つの情報が用いられるようにすればよい。
【００９１】
また、例えば、60Hz等の低フレームレートで撮影された映像コンテンツには、撮像ボケが発生しやすい。このような撮像ボケを含む映像コンテンツ（エッジがなまっている映像）に対しては、動画量が多く検出された場合にインパルス駆動を実施しても、時間解像度は改善しないため、インパルス駆動判定処理では、映像情報と解像度情報に基づき、当該映像コンテンツを検出した場合には、インパルス駆動が行われないようにすることができる。これにより、不要なインパルス駆動が行われないため、過度な電力や熱の上昇を防止し、デバイスの寿命の低減も抑制することができる。
【００９２】
以上、第１の実施の形態では、映像コンテンツの特徴量として、映像情報や輝度情報、解像度情報などの特徴量を検出して、その検出結果に基づき、液晶表示部１３のバックライト１５（例えばLED）や、自発光表示部２３の自発光素子（例えばOLED）などの発光部の駆動を制御している。
【００９３】
そのため、動画ボケの視認しやすさの度合いに応じて、液晶表示部１３のバックライト１５の点灯期間及び電流値や、自発光表示部２３の画素点灯期間（自発光素子の点灯期間）及び電流値を制御することが可能となり、より適切に、動画ボケ（ホールドボケ）を改善することができる。その結果として、表示される映像に適合した最適な画質を提供することが可能となる。
【００９４】
＜２．第２の実施の形態＞
【００９５】
第２の実施の形態では、映像コンテンツに含まれる映像をいくつかの領域に分割し、分割した領域ごとに、上述した第１の実施の形態と同様の駆動方法で、発光部の駆動（点灯期間と電流値）を制御するようにする。すなわち、映像内の全領域に、同時に動画ボケが発生することはまれであり、動いている物体の領域を対象にしてインパルス駆動を行うことで、消費電力やデバイスの低寿命化をより低減させることが可能になる。
【００９６】
（信号処理部の構成）
図８は、第２の実施の形態の信号処理部の構成の例を示すブロック図である。
【００９７】
図８において、信号処理部１１は、動画ボケ映像検出部２０１、点灯期間演算部１０２、電流値演算部１０３、及び駆動制御部１０４を含む。
【００９８】
すなわち、図８の信号処理部１１においては、図４の信号処理部１１の構成と比べて、動画ボケ映像検出部１０１の代わりに、動画ボケ映像検出部２０１が設けられている。
【００９９】
動画ボケ映像検出部２０１は、映像情報取得部１１１、輝度情報取得部１１２、解像度情報取得部１１３、及び映像領域分割部２１１を含む。
【０１００】
映像領域分割部２１１は、そこに入力される映像コンテンツの映像信号に基づいて、映像コンテンツに含まれる映像を、複数の領域に分割し、分割された映像の映像信号を、映像情報取得部１１１、輝度情報取得部１１２、及び解像度情報取得部１１３に供給する。
【０１０１】
映像情報取得部１１１は、映像領域分割部２１１から供給される、分割領域ごとの映像信号に対する映像情報取得処理を行い、その処理結果を、映像情報（例えば、動画量）として、点灯期間演算部１０２に供給する。
【０１０２】
輝度情報取得部１１２は、映像領域分割部２１１から供給される、分割領域ごとの映像信号に対する輝度情報取得処理を行い、その処理結果を、輝度情報（例えば、ピーク輝度）として、点灯期間演算部１０２に供給する。
【０１０３】
解像度情報取得部１１３は、映像領域分割部２１１から供給される、分割領域ごとの映像信号に対する解像度情報取得処理を行い、その処理結果を、解像度情報（例えば、エッジ量）として、点灯期間演算部１０２に供給する。
【０１０４】
このように、動画ボケ映像検出部２０１により検出される映像情報、輝度情報、及び解像度情報は、映像コンテンツの映像の各分割領域の特徴量、すなわち、各分割領域から得られる特徴量であり、これらの特徴量によって、分割領域ごとに、動画ボケ映像が検出されることになる。なお、図８においては、１つの動画ボケ映像検出部２０１を設けた構成を示しているが、複数の動画ボケ映像検出部２０１を、分割領域ごとに設けるようにしてもよい。
【０１０５】
点灯期間演算部１０２、電流値演算部１０３、及び駆動制御部１０４においては、図４の構成で説明したように、動画ボケ映像検出部１０１からの動画ボケ映像の検出結果に基づき、バックライト１５（のLED）を点灯させるための駆動制御信号（BL駆動信号）が生成される。
【０１０６】
なお、図８においても、液晶表示装置１０の信号処理部１１（図１）の構成を代表して説明したが、自発光型表示装置２０の信号処理部２１（図２）についても同様に構成することができる。ただし、その場合には、自発光表示部２３の自発光素子（例えば、OLED）を点灯させるための駆動制御信号（OLED駆動制御信号）が生成されることになる。
【０１０７】
（インパルス駆動の概念）
図９は、第２の実施の形態のインパルス駆動の概念を示す図である。
【０１０８】
図９において、映像５３１は、液晶表示装置１０の液晶表示部１３、又は自発光型表示装置２０の自発光表示部２３に表示された映像である。この映像５３１では、図３の映像５０１と同様に、図中の左側から右側に向かう方向に、自動車が走っている。
【０１０９】
ここで、図９に示した映像５３１の全体を、上側の映像に対応した領域を含む第１領域５４１Ａと、下側の映像に対応した領域を含む第２領域５４１Ｂとに分割した場合を想定する。この場合において、第１領域５４１Ａ内の映像には、動いている物体は存在しない一方で、第２領域５４１Ｂ内の映像には、動いている物体として、自動車が存在している。
【０１１０】
上述したように、動画ボケは、映像内の物体が動いているときに発生する可能性があるので、ここでは、動いている物体（自動車）を含む第２領域５４１Ｂ内の映像に対し、インパルス駆動を行うようにする。一方で、動いている物体を含まない第１領域５４１Ａ内の映像に対しては、通常駆動を行うようにする。
【０１１１】
具体的には、図９に示した映像５３１の全体のうち、第１領域５４１Ａ内の映像では、図９のＡの駆動方法によって、通常駆動が行われ、第２領域５４１Ｂ内の映像では、図９のＢの駆動方法によって、インパルス駆動が行われるようにする。
【０１１２】
すなわち、図９のＢの駆動方法では、一定の電流I22（I22 > I21）で、かつ、点灯期間T22（T22 < T21）の間だけ、バックライト１５の発光素子（LED）を点灯させるインパルス駆動が行われ、通常駆動と比べて、点灯期間が、点灯期間T21から点灯期間T22に短くなった分だけ、消灯期間が長くなる（ΔT(T21 - T22) の分だけ、消灯時間が長くなる）ので、動画ボケを改善することができる。
【０１１３】
また、図９のＢの駆動方法では、電流I21から電流I22に電流を上げる（ΔI(I22 - I21) の分だけ、電流が上がる）ことで、点灯期間を短くしても、輝度を維持できるようにしている。
【０１１４】
このように、映像５３１内の全領域に、動画ボケが発生することはまれであり、走行中の自動車を含む第２領域５４１Ｂ内の映像のみを対象にしてインパルス駆動を行うことで、消費電力やデバイスの低寿命化をより低減させることが可能になる。
【０１１５】
なお、図９においては、映像５３１の全領域を、上側の第１領域５４１Ａと下側の第２領域５４１Ｂとに分割する場合を例示したが、このような上下の領域の２分割に限らず、例えば、左右の領域に２分割したり、上下左右の領域に４分割したり、さらに細かい単位で分割したりするなど、分割の単位は任意に設定することができる。
【０１１６】
また、各分割領域のサイズであるが、図９においては、上側の第１領域５４１Ａよりも、下側の第２領域５４１Ｂのサイズが大きく、分割領域ごとにサイズが異なっているが、それに限らず、分割領域ごとに、略同一のサイズとしてもよい。また、分割領域の形状についても、矩形の形状に限らず、任意の形状とすることができる。
【０１１７】
さらに、上述した説明では、映像５３１の分割領域（第１領域５４１Ａと、第２領域５４１Ｂ）で得られる情報のみを用い、インパルス駆動判定を行う場合を説明したが、例えば、映像５３１の全領域から得られる情報に対し、分割領域から得られる情報（いわば局所的な情報）を加味して、各分割領域における電流値や点灯期間を決定するようにしてもよい。
【０１１８】
例えば、インパルス駆動判定において、ある分割領域内の物体が動いていないが、他の分割領域内の物体が動いていると判定された場合に、全領域内の物体が動いていると判定されたときには、それらの総合的な判定結果に基づき、映像内の物体が動いていると判定し、インパルス駆動が行われるようにすることができる。
【０１１９】
以上、第２の実施の形態では、映像コンテンツの特徴量として、映像情報や輝度情報、解像度情報などの特徴量を検出して、その検出結果に基づき、液晶表示部１３のバックライト１５（例えばLED）や、自発光表示部２３の自発光素子（例えばOLED）などの発光部の駆動を制御する際に、映像の全領域を、いくつかの領域に分割し、分割領域ごとに、発光部の駆動を制御している。
【０１２０】
そのため、動画ボケの視認しやすさの度合いに応じて、液晶表示部１３のバックライト１５の点灯期間及び電流値や、自発光表示部２３の画素点灯期間（自発光素子の点灯期間）及び電流値を、局所的に制御することが可能となって、より適切に、動画ボケ（ホールドボケ）を改善することができるとともに、さらなる画質の最適化、及び消費電力を最小化とデバイスの長寿命化を図ることが可能となる。
【０１２１】
＜３．第３の実施の形態＞
【０１２２】
近年、液晶表示装置１０において、バックライト１５として、KSF蛍光体（K2SiF6：Mn4+）を採用したLEDバックライトが注目されている。このKSF蛍光体を用いることで、液晶表示装置１０の色再現性範囲や彩度の向上が期待される。
【０１２３】
第３の実施の形態では、KSF蛍光体を採用したLEDバックライトを用いた液晶表示装置１０を対象とする機能の改善方法を説明する。なお、以下の説明では、図１のバックライト１５のうち、特に、KSF蛍光体を採用したLEDバックライトを、LEDバックライト１５Ａと記述して、他のバックライトと区別する。
【０１２４】
（残像発生のメカニズム）
図１０及び図１１を参照して、KSF蛍光体を採用したLEDバックライト１５Ａを用いるに際してインパルス駆動時に、赤色の応答遅延の影響で残像が発生するメカニズムを説明する。
【０１２５】
図１０は、LEDバックライト１５ＡのLEDの発光タイミングと、それに対するＲＧＢの応答特性との関係を示している。ただし、図１０のＡは、LEDバックライト１５ＡのLEDのオン／オフのタイミングを示している。また、図１０のＢ，Ｃ，Ｄは、各画素（サブ画素）の赤色（Ｒ），緑色（Ｇ），青色（Ｂ）の応答特性をそれぞれ示している。
【０１２６】
ここで、図１０のＡ，Ｃ，Ｄのタイミングチャートに注目すれば、緑色（Ｇ）と、青色（Ｂ）の応答特性は、LEDバックライト１５ＡのLEDのオン／オフ期間に応じた矩形波に対応している。一方で、図１０のＡ，Ｂのタイミングチャートに注目すれば、赤色（Ｒ）の応答特性は、LEDバックライト１５ＡのLEDのオン／オフ期間に応じた矩形波とはならずに、その応答が遅れている。すなわち、赤色（Ｒ）は、LEDのオン時の立ち上がりが弱く、LEDのオフ時にもその光が残っている。
【０１２７】
ここで、例えば、図１１に示すように、映像５５１に含まれるウィンドウ５５２が、図中の矢印５７１の示す方向、すなわち、図中の左側から右側に移動する場面を想定する。ただし、図１１において、映像５５１は、全体が黒色の映像であり、ウィンドウ５５２は、全体が白色の領域からなるものである。つまり、ここでは、映像コンテンツとして、全体が黒い画面上で、白い矩形の物体が動くような映像を想定している。
【０１２８】
このとき、映像５５１において、白いウィンドウ５５２に注目すれば、その白い部分の領域と、黒い部分の領域との境界で、赤色（Ｒ）の応答が遅れることに起因して、残像が発生している。
【０１２９】
具体的には、図１１の点線５６１内では、その一部の領域（図１０のタイミングチャートで、矢印５６１により指し示したタイミングに相当する領域）が、本来、白色となるべきところ、赤色（Ｒ）の応答が遅いために、その色がシアンとなっている。
【０１３０】
また、図１１の点線５６２内では、その一部の領域（図１０のタイミングチャートで、矢印５６２により指し示したタイミングに相当する領域）が、本来、黒色となるべきところ、赤色（Ｒ）の応答が遅いために、その色が赤色になっている。
【０１３１】
このように、映像５５１において、本来、黒色、白色、黒色となるべきところ、赤色（Ｒ）の応答が遅いために、特に、黒色と白色の境界で、白色がシアンになったり、黒色が赤色になったりしている。ここで、残像が発生しやすい領域としては、例えば、LEDの消灯期間が長く、かつ、映像のコントラストが高い部分（領域）が該当し、そこで、残像を視認しやすい特徴がある。
【０１３２】
そこで、第３の実施の形態では、このような、KSF蛍光体を採用したLEDバックライト１５Ａの使用時のＲＧＢの応答特性を考慮して、残像の視認性の検出結果に基づき、インパルス駆動の駆動周波数を変えることで、赤色（Ｒ）の応答の遅れの影響を軽減する制御が行われるようにする。
【０１３３】
（信号処理部の構成の第１の例）
図１２は、第３の実施の形態の信号処理部の構成の第１の例を示すブロック図である。
【０１３４】
図１２において、信号処理部１１は、映像情報取得部３０１、点灯期間演算部３０２、及びBL駆動制御部３０３を含む。
【０１３５】
映像情報取得部３０１は、そこに入力される映像コンテンツの映像信号に対する映像情報取得処理を行い、その処理結果を、映像情報として、BL駆動制御部３０３に供給する。この映像情報取得処理では、例えば、映像信号に基づき、映像コンテンツの映像に含まれる残像の視認性が検出され、その検出結果が出力される。
【０１３６】
点灯期間演算部３０２は、そこに入力される映像コンテンツの映像信号に基づいて、LEDバックライト１５ＡのLEDの点灯期間を算出し、その算出結果に応じたPWM信号を、BL駆動制御部３０３に供給する。
【０１３７】
BL駆動制御部３０３には、映像情報取得部３０１からの映像情報と、点灯期間演算部３０２からのPWM信号が供給される。
【０１３８】
BL駆動制御部３０３は、映像情報に含まれる残像の視認性の検出量に基づいて、PWM信号の駆動周波数を変更する。また、BL駆動制御部３０３は、その駆動周波数の変更の結果に応じたBL駆動制御信号を生成し、バックライト駆動部１４（図１）に供給する。なお、BL駆動制御部３０３による駆動周波数の変更の詳細については、図１４を参照して後述する。
【０１３９】
（信号処理部の構成の第２の例）
図１３は、第３の実施の形態の信号処理部の構成の第２の例を示すブロック図である。
【０１４０】
図１３において、信号処理部１１は、映像情報取得部３１１、点灯期間演算部３１２、及びBL駆動制御部３０３を含む。すなわち、図１３の構成においては、図１２に示した構成と比べて、映像情報取得部３０１と、点灯期間演算部３０２の代わりに、映像情報取得部３１１と、点灯期間演算部３１２が設けられている。
【０１４１】
点灯期間演算部３１２は、そこに入力される映像コンテンツの映像信号に基づいて、LEDバックライト１５ＡのLEDの点灯期間を算出し、その算出結果に応じたPWM信号を、映像情報取得部３１１及びBL駆動制御部３０３に供給する。
【０１４２】
映像情報取得部３１１は、点灯期間演算部３１２から供給されるPWM信号に対する映像情報取得処理を行い、その処理結果を、映像情報として、BL駆動制御部３０３に供給する。この映像情報取得処理では、PWM信号に基づき、映像コンテンツの映像に含まれる残像の視認性が検出され、その検出結果が出力される。
【０１４３】
BL駆動制御部３０３は、映像情報取得部３１１からの映像情報に含まれる残像の視認性の検出量に基づき、点灯期間演算部３１２からのPWM信号の駆動周波数を変更し、その駆動周波数の変更の結果に応じたBL駆動制御信号を生成する。なお、BL駆動制御部３０３による駆動周波数の変更の詳細については、図１４を参照して後述する。
【０１４４】
なお、図１２及び図１３においては、説明の都合上、信号処理部１１の構成として、映像情報取得部３０１、点灯期間演算部３０２、及びBL駆動制御部３０３を含む構成の第１の例と、映像情報取得部３１１、点灯期間演算部３１２、及びBL駆動制御部３０３を含む構成の第２の例を示したが、実際には、例えば、次のような構成とすることができる。
【０１４５】
すなわち、図４又は図８に示したように、図１２及び図１３の信号処理部１１は、動画ボケ映像検出部１０１又は動画ボケ映像検出部２０１、点灯期間演算部１０２、電流値演算部１０３、及び駆動制御部１０４を含む構成とすることができる。
【０１４６】
具体的には、図１２の映像情報取得部３０１及び図１３の映像情報取得部３１１は、図４又は図８の映像情報取得部１１１の機能も有し、図１２の点灯期間演算部３０２及び図１３の点灯期間演算部３１２は、図４又は図８の点灯期間演算部１０２の機能も有し、図１２及び図１３のBL駆動制御部３０３は、図４又は図８の駆動制御部１０４の機能も有することができる。そのため、第３の実施の形態の信号処理部１１（図１２，図１３）では、上述した第１の実施の形態又は第２の実施の形態に示した駆動制御に加えて、さらに、第３の実施の形態に示した駆動制御を行うことができる。
【０１４７】
（駆動周波数の変更の例）
図１４は、図１２又は図１３のBL駆動制御部３０３による駆動周波数の変更の例を示す図である。
【０１４８】
図１４のＡは、赤色（Ｒ）の応答の遅れの影響を考慮していない場合の駆動方法を示している。一方で、図１４のＢは、赤色（Ｒ）の応答の遅れの影響を考慮した場合の駆動方法を示している。
【０１４９】
ここで、図１４のＢの駆動方法は、図１４のＡの駆動方法と比較すれば、PWM信号の矩形波を分割することで、その駆動周波数が高くなって、オン／オフのパルスの幅が狭められている。なお、ここでは、例えば、図１４のＡに示した２つのブロックをそれぞれ２分割することで、図１４のＢに示すように、４つのブロックとしている。
【０１５０】
このように、残像の視認性の検出結果に基づき、駆動周波数を高くすることにより、赤色（Ｒ）の応答の遅れに起因した残像が発生したときに、残像の見える時間（期間）を減らすことができる。すなわち、例えば、図１４のＢの駆動方法による駆動を行う場合には、図１４のＡの駆動方法と比べて、PWM信号の矩形波が２分割されているため（デューティ比が変更されているため）、残像の見える時間も、略1/2とすることができる。
【０１５１】
例えば、特に、残像が発生しやすい領域としては、LEDの消灯期間が長く、かつ、映像のコントラストが高い部分（領域）があるが、そのような領域で、図１４のＢの駆動方法による駆動を行うことで、赤色（Ｒ）の応答の遅れに起因した残像を軽減することが可能となる。
【０１５２】
具体的には、例えば、上述した図３のＡの駆動方法において、フレームレートが120Hzで、点灯期間T1が8msとなる場合を想定すれば、図３のＢの駆動方法では、4msである点灯期間T2を４分割して、1msである点灯期間を４回繰り返すような駆動とすることができる。このように点灯期間を分割した場合であっても、LEDの点灯の明るさ自体が変わるものではない（分割前後で積分して得られる値は同一である）。
【０１５３】
なお、図１４に示した駆動周波数（点灯周波数）の変更に際して、急激に駆動周波数を変更すると、輝度フリッカが発生し、映像の表示品位を損なう可能性があるので、BL駆動制御部３０３は、徐々に駆動周波数を変更するようにすると好適である。
【０１５４】
また、映像の輝度変化が発生しないようにするために、BL駆動制御部３０３は、駆動周波数の変更後の点灯期間（１フレーム間の点灯期間）の和は、駆動周波数の変更前の点灯期間（１フレーム間の点灯期間）と略同一になるようにする。すなわち、BL駆動制御部３０３は、駆動周波数の変更前と変更後とで、点灯期間を一定にする。
【０１５５】
以上、第３の実施の形態では、映像コンテンツの特徴量として、映像情報や輝度情報、解像度情報などの特徴量を検出して、その検出結果に基づき、液晶表示部１３のLEDバックライト１５Ａ（のLED）の点灯期間及び電流値を制御する際に、映像情報に含まれる残像の視認性の検出結果に基づき、インパルス駆動の駆動周波数を変えることで、赤色（Ｒ）の応答の遅れの影響を軽減する制御が行われるようにしている。
【０１５６】
具体的には、液晶表示装置１０では、残像の視認性の検出結果に基づき、残像の度合いを判別し、その判別結果に応じて残像を低減するように、LEDバックライト１５Ａ（のLED）の点灯の周期を制御することができる。このように、液晶表示装置１０では、KSF蛍光体を採用したLEDバックライト１５Ａの特性に応じて処理を変えることができるため、インパルス駆動による弊害を抑制することが可能となる。
【０１５７】
＜４．第４の実施の形態＞
【０１５８】
ところで、液晶表示装置１０（図１）や、自発光型表示装置２０（図２）では、例えばOSD(On Screen Display)等として、表示画面上に設定メニュー等のGUI(Graphical User Interface)等のグラフィックスが表示される場合がある。この種のGUI等が表示されている場合、視聴者は、表示画面上のGUIに着目しており、動画ボケ（ホールドボケ）を改善する必要がないため、動画ボケの改善効果を抑制することで、消費電力の増加や、デバイスの低寿命化を抑制するようにする。
【０１５９】
（インパルス駆動の概念）
図１５は、第４の実施の形態のインパルス駆動の概念を示す図である。
【０１６０】
図１５において、映像９０１及び映像９０２は、液晶表示装置１０の液晶表示部１３、又は自発光型表示装置２０の自発光表示部２３に表示された映像である。
【０１６１】
ここで、映像９０１と映像９０２とを比較すれば、共に走行中の自動車を含む映像となるが、映像９０１では、走行中の自動車の映像上に、視聴者の操作に応じた設定メニュー等のGUI９１１が重畳されている。
【０１６２】
このとき、映像９０１は自動車が走っている場面の映像であるため、動画ボケが発生する可能性があるが、視聴者は、表示画面上のGUI９１１に着目しており、その背後に表示される自動車の映像を特に意識していないため、動画ボケの改善は不要である。
【０１６３】
一方で、映像９０２には、GUI９１１が重畳されておらず、視聴者は、走行中の自動車の映像を見ているため、上述したように、動画ボケの改善は必要となる。
【０１６４】
具体的には、GUI９１１が重畳された映像９０１では、図１５のＡの駆動方法によって通常駆動が行われ、GUI９１１が重畳されていない映像９０２では、図１５のＢの駆動方法によってインパルス駆動が行われるようにする。
【０１６５】
すなわち、図１５のＢの駆動方法では、一定の電流I32（I32 > I31）で、かつ、点灯期間T32（T32 < T31）の間だけ、バックライト１５の発光素子（LED）を点灯させるインパルス駆動が行われ、図１５のＡの駆動方法（通常駆動）と比べて、点灯期間が短くなった分だけ、消灯期間が長くなるので、動画ボケを改善することができる。
【０１６６】
それに対し、図１５のＡの駆動方法では、動画ボケの改善効果は抑制されるが、図１５のＢの駆動方法（インパルス駆動）と比べて、電流の大きさを下げているため（I31 < I32）、消費電力の増加を最小限に抑えることができる。その結果として、液晶表示部１３（バックライト１５）や自発光表示部２３等のデバイスの低寿命化を抑制することができる。
【０１６７】
このように、第４の実施の形態では、映像９０１に対してGUI９１１が重畳表示された場合、視聴者はGUI９１１に着目しており、動画ボケを改善する必要がないので、動画ボケの改善効果が抑制されるようにする。これにより、液晶表示装置１０又は自発光型表示装置２０では、消費電力の増加や、デバイスの低寿命化を抑制することが可能となる。
【０１６８】
なお、液晶表示部１３又は自発光表示部２３に表示されるGUIとしては、外部機器（例えば光ディスク再生用のプレイヤ等）により生成されるものと、液晶表示装置１０又は自発光型表示装置２０の内部で生成されるものが存在する。そこで、以下、GUIが外部機器で生成される場合の構成を図１６に示し、GUIが表示装置の内部で生成される場合の構成を図１７に示す。
【０１６９】
（信号処理部の構成）
図１６は、第４の実施の形態の信号処理部の構成の第１の例を示すブロック図である。すなわち、図１６は、映像に重畳されるGUIが外部機器で生成された場合の信号処理部１１の構成を示している。
【０１７０】
図１６において、信号処理部１１は、動画ボケ映像検出部１０１、点灯期間演算部１０２、電流値演算部１０３、駆動制御部１０４、及びGUI検出部６１１を含む。すなわち、図１６の信号処理部１１においては、図４の信号処理部１１の構成と比べて、GUI検出部６１１が新たに追加されている。
【０１７１】
動画ボケ映像検出部１０１においては、図４の構成で説明したように、映像情報取得部１１１、輝度情報取得部１１２、及び解像度情報取得部１１３によって、映像情報、輝度情報、及び解像度情報が取得される。動画ボケ映像検出部１０１により検出される映像情報、輝度情報、及び解像度情報は、映像コンテンツの特徴量であり、これらの特徴量によって、動画ボケ映像が検出されることになる。
【０１７２】
GUI検出部６１１は、映像コンテンツの映像信号に対するGUI検出処理を行い、その処理結果を、GUI重畳量として、点灯期間演算部１０２に供給する。
【０１７３】
このGUI検出処理では、例えば、映像フレーム間の動きベクトル量や、コントラスト情報、周波数情報などの情報を用いて、表示画面に表示されたGUIを検出することができる。ここでは、例えば、表示画面に表示された映像に対して重畳されたGUIの重畳量（例えば表示画面の全領域に対するGUIの領域の割合等）が検出される。
【０１７４】
換言すれば、このGUI検出処理では、グラフィックスのグラフィック量の一例として、映像に重畳されたGUIのGUI重畳量を検出しているとも言える。なお、GUI検出処理では、動画ボケ映像検出部１０１で検出される特徴量（例えば動きベクトル量や解像度情報等）を用いてもよい。また、GUI検出処理の詳細については、図１９及び図２０を参照して後述する。
【０１７５】
このように、GUI検出部６１１により検出されるGUI重畳量は、映像コンテンツの特徴量であるが、ここでは、このGUI重畳量に応じて、動画ボケの改善効果を抑制する。すなわち、液晶表示装置１０では、映像情報等の特徴量によって動画ボケ映像が検出された場合でも、GUI重畳量に基づき、動画ボケの改善効果が抑制されるようにする。
【０１７６】
点灯期間演算部１０２、電流値演算部１０３、及び駆動制御部１０４においては、図４の構成で説明したように、動画ボケ映像検出部１０１からの動画ボケ映像の検出結果、及びGUI検出部６１１からのGUIの検出結果に基づき、バックライト１５（のLED）を点灯させるための駆動制御信号（BL駆動信号）が生成される。
【０１７７】
（信号処理部の他の構成）
図１７は、第４の実施の形態の信号処理部の構成の第２の例を示すブロック図である。すなわち、図１７は、映像に重畳されるGUIが液晶表示装置１０の内部で生成された場合の信号処理部１１の構成を示している。
【０１７８】
図１７において、信号処理部１１は、図４の信号処理部１１の構成と同様に、動画ボケ映像検出部１０１、点灯期間演算部１０２、電流値演算部１０３、及び駆動制御部１０４を含んで構成されるが、点灯期間演算部１０２に対し、CPU１０００（図２５）からGUI重畳量が供給される点が異なる。
【０１７９】
CPU１０００は、各種の演算処理や各部の動作制御など、液晶表示装置１０における中心的な処理装置として動作する。CPU１０００は、例えば視聴者の操作に応じて設定メニュー等のGUIの表示が指示された場合、液晶表示部１３に表示される映像に重畳されるGUIのGUI重畳量（例えばサイズ等）をメモリ（不図示）等から取得して、点灯期間演算部１０２に供給する。換言すれば、CPU１０００から供給されるGUI重畳量（グラフィック量）は、映像コンテンツの特徴量であるとも言える。
【０１８０】
点灯期間演算部１０２、電流値演算部１０３、及び駆動制御部１０４においては、図４等の構成で説明したように、動画ボケ映像検出部１０１からの動画ボケ映像の検出結果、及びCPU１０００からのGUI重畳量に基づき、バックライト１５（のLED）を点灯させるための駆動制御信号（BL駆動信号）が生成される。
【０１８１】
これにより、液晶表示装置１０では、映像情報等の特徴量によって動画ボケ映像が検出された場合でも、GUI重畳量に基づき、動画ボケの改善効果が抑制されることになる。
【０１８２】
なお、図１６及び図１７においては、液晶表示装置１０の信号処理部１１（図１）の構成を代表して説明したが、自発光型表示装置２０の信号処理部２１（図２）についても同様に構成することができる。ただし、その場合には、自発光表示部２３の自発光素子（例えば、OLED）を点灯させるための駆動制御信号（OLED駆動制御信号）が生成されることになる。
【０１８３】
（インパルス駆動判定処理の流れ）
次に、図１８のフローチャートを参照して、第４の実施の形態の信号処理部により実行されるインパルス駆動判定処理の流れを説明する。
【０１８４】
ステップＳ３１乃至Ｓ３３においては、図７のステップＳ１１乃至Ｓ１３と同様に、ステップＳ３１の判定処理で動画量が少ないと判定された場合、ステップＳ３２の判定処理でエッジ部分が少ないと判定された場合、又はステップＳ３３の判定処理で明るさを重視する駆動を行うと判定された場合、処理は、ステップＳ３５に進められ、通常駆動が行われるようにする（Ｓ３５）。
【０１８５】
また、ステップＳ３１の判定処理で動画量が多いと判定された後に、ステップＳ３２の判定処理でエッジ部分が多いと判定され、さらにステップＳ３３の判定処理で明るさを重視しない駆動を行うと判定された場合、処理は、ステップＳ３４に進められる。
【０１８６】
ステップＳ３４において、信号処理部１１は、映像に重畳されたGUIのGUI重畳量等のグラフィック量が多いかどうかを判定する。例えば、このステップＳ３４の判定処理では、GUI検出部６１１（図１６）により検出されたGUI重畳量、又はCPU１０００（図１７）から供給されるGUI重畳量と、あらかじめ設定されるグラフィック量判定用の閾値とを比較することで、対象の映像内のグラフィック量が多いか（例えば表示画面の全領域に対するGUIの領域の割合が高いか）どうかが判定される。
【０１８７】
ステップＳ３４において、グラフィック量が閾値を超える場合、すなわち、グラフィック量が多いと判定された場合、処理は、ステップＳ３５に進められる。ステップＳ３５において、信号処理部１１は、バックライト１５の駆動が、通常駆動により行われるようにする。この通常駆動が行われるケースとしては、例えばGUIを全画面表示する場合などが想定される。
【０１８８】
また、ステップＳ３４において、グラフィック量が閾値よりも小さい場合、すなわち、グラフィック量が少ないと判定された場合、処理は、ステップＳ３６に進められる。ステップＳ３６において、信号処理部１１は、バックライト１５の駆動が、インパルス駆動により行われるようにする。このインパルス駆動が行われるケースとしては、例えば、表示画面の全領域に対してGUIの領域が小さい場合などが想定される。
【０１８９】
以上、インパルス駆動判定処理の流れを説明した。なお、図１８のインパルス駆動判定処理における各判定処理（Ｓ３１，Ｓ３２，Ｓ３３，Ｓ３４）の順序は任意であり、また全ての判定処理を行う必要もない。また、判定用の閾値は、各種の条件に応じて適切な値を設定することができる。
【０１９０】
なお、図１８においては、インパルス駆動判定処理は、液晶表示装置１０の信号処理部１１（図１）により実行されるとして説明したが、自発光型表示装置２０の信号処理部２１（図２）により実行されるようにしてもよい。ただし、信号処理部２１が、インパルス駆動判定処理を実行する場合には、駆動制御の対象が、自発光表示部２３（のOLED等の自発光素子）となる。
【０１９１】
（GUI検出方法の例）
次に、図１９及び図２０を参照して、図１６のGUI検出部６１１により実行されるGUI検出処理の例を説明する。
【０１９２】
映像に重畳されるGUIは、表示画面の特定領域に表示され、かつ、視聴者が視認し易いように、コントラストが高く、テキストの輪郭がくっきりしている特徴がある。ここでは、このような特徴に鑑みて、表示画面を複数の画面ブロックに分割し、各画面ブロックから得られる動きベクトル量（動き量）、コントラスト情報、及び周波数情報に基づき、当該画面ブロックに、GUIが存在するかどうかを判別する方法を説明する。
【０１９３】
図１９は、画面ブロックごとのGUIの判別の例を示す図である。
【０１９４】
図１９においては、表示画面に表示された映像９３１に対して、視聴者の操作に応じた設定メニューとしてのGUI９４１が逆Ｌ字状に重畳されている。このとき、表示画面上の縦横の太線で示すように、表示画面を、水平方向に６分割し、垂直方向に５分割した場合を想定する。ここでは、表示画面上における各画面ブロックＢＫのｉ行ｊ列を、画面ブロックＢＫ（ｉ，ｊ）と表記する。
【０１９５】
ここで、１行目の画面ブロックＢＫ（１，１）乃至ＢＫ（１，５）は、GUI９４１が重畳された領域である。さらに、２行目の画面ブロックＢＫ（２，１）、３行目の画面ブロックＢＫ（３，１）、及び４行目の画面ブロックＢＫ（４，１）も、GUI９４１が重畳された領域である。
【０１９６】
また、２行目の画面ブロックＢＫ（２，２）乃至ＢＫ（２，５）、３行目の画面ブロックＢＫ（３，２）、４行目の画面ブロックＢＫ（４，２）、並びに５行目の画面ブロックＢＫ（５，１）及びＢＫ（５，２）は、その領域の一部にGUI９４１が重畳されている。なお、ここに列挙した画面ブロックＢＫ以外の画面ブロックＢＫは、GUI９４１が重畳されていない領域である。
【０１９７】
このように、画面ブロックＢＫごとに、GUI９４１が重畳されているものと、重畳されていないものが混在しているが、ここでは、画面ブロックＢＫごとに得られる動き量、コントラスト情報、及び周波数情報に基づき、各画面ブロックＢＫ内にGUI９４１があるかどうかを判別するものとする。
【０１９８】
図２０は、図１６のGUI検出部６１１の詳細な構成の例を示すブロック図である。
【０１９９】
図２０において、GUI検出部６１１は、局所映像情報取得部６２１、局所コントラスト情報取得部６２２、局所周波数情報取得部６２３、及びGUI判別部６２４を含む。
【０２００】
局所映像情報取得部６２１は、映像コンテンツの映像信号に対する局所映像情報取得処理を行い、その処理結果を、局所映像情報として、GUI判別部６２４に供給する。
【０２０１】
この局所映像情報取得処理では、例えば、画面ブロックごとに、動きベクトル量などを用いて、映像内の物体の動きを表す指標として動画量を検出することで、局所映像情報が得られる。
【０２０２】
局所コントラスト情報取得部６２２は、映像コンテンツの映像信号に対する局所コントラスト情報取得処理を行い、その処理結果を、局所コントラスト情報として、GUI判別部６２４に供給する。
【０２０３】
この局所コントラスト情報取得処理では、例えば、画面ブロックごとに、各画面ブロック内の映像に含まれる基準領域と比較領域の輝度を比較して、最も暗い部分と最も明るい部分の差を求めることで、局所コントラスト情報が得られる。
【０２０４】
局所周波数情報取得部６２３は、映像コンテンツの映像信号に対する局所周波数情報取得処理を行い、その処理結果を、局所周波数情報として、GUI判別部６２４に供給する。
【０２０５】
この局所周波数情報取得処理では、例えば、画面ブロックごとに、各画面ブロック内の映像を空間周波数帯域に変換して所定のフィルタ（例えば広域通過フィルタ等）を適用することで、局所周波数情報が得られる。
【０２０６】
GUI判別部６２４には、局所映像情報取得部６２１からの局所映像情報と、局所コントラスト情報取得部６２２からの局所コントラスト情報と、局所周波数情報取得部６２３からの局所周波数情報が供給される。
【０２０７】
GUI判別部６２４は、局所映像情報、局所コントラスト情報、及び局所周波数情報に基づいて、画面ブロックごとに、GUIが重畳されているかを判別する。GUI判別部６２４は、GUIの判別結果に応じたGUI重畳量を、点灯期間演算部１０２（図１６）に供給する。
【０２０８】
このGUIの判別処理では、例えば、局所映像情報、局所コントラスト情報、及び局所周波数情報に基づき、所定の演算処理が施されることで、画像ブロックごとに、GUIが重畳されているかを定量的に表したGUI重畳量（例えば表示画面の全領域に対するGUIの領域の割合等）が求められる。そして、このGUI重畳量に応じて、動画ボケの改善効果が抑制されるのは、先に述べた通りである。
【０２０９】
なお、ここでは、画面ブロックごとに得られるGUI重畳量に応じて、表示画面全体で、動画ボケの改善効果が抑制されるようにしてもよいし、上述した第２の実施の形態のように、分割領域ごとにインパルス駆動を行う場合には、当該分割領域ごとに動画ボケの改善効果が抑制されるようにしてもよい。このとき、当該分割領域として、例えば、図１９に示した画面ブロックＢＫに対応する領域を用いてもよい。
【０２１０】
以上、第４の実施の形態では、映像コンテンツの特徴量を検出して、その検出結果に基づき、液晶表示部１３のバックライト１５（例えばLED）や、自発光表示部２３の自発光素子（例えばOLED）などの発光部の駆動を制御する際に、映像にGUI等のグラフィックスが重畳されている場合に、動画ボケの改善効果を抑制する制御が行われるようにしている。そのため、消費電力の増加や、デバイスの低寿命化を抑制することができる。
【０２１１】
＜５．第５の実施の形態＞
【０２１２】
ところで、自発光型表示装置２０においては、自発光表示部２３に２次元状に配置された画素に含まれる自発光素子（例えばOLED）が局所的に劣化することで、映像の表示品質を著しく低下させることが問題になっている。ここでは、自発光型表示装置２０において、高輝度、高彩度の映像信号に応じて駆動される画素では、自発光素子の印加電流が高くなる点に着目して、このような画素が多い場合には、動画ボケの改善効果を抑制することで、局所的なデバイスの劣化を抑制するようにする。
【０２１３】
（インパルス駆動の概念）
図２１は、第５の実施の形態のインパルス駆動の概念を示す図である。
【０２１４】
図２１において、映像９５１及び映像９６１は、自発光型表示装置２０の自発光表示部２３に表示された映像である。
【０２１５】
ここで、映像９５１は、色鮮やかな花を含む映像であって、輝度と彩度が共に高い映像である。すなわち、映像９５１は、輝度と彩度が共に高いため、自発光素子の印加電流が高くなって、局所的にデバイスが劣化する恐れがあるため、動画ボケの改善効果を抑制する。
【０２１６】
一方で、映像９６１は、くすんだ色（すすけた色）の地図を含む映像であって、輝度と彩度が共に低い映像である。すなわち、映像９６１は、輝度と彩度が共に低く、局所的にデバイスが劣化する恐れはないため、動画ボケの改善効果を抑制する必要はない。
【０２１７】
具体的には、輝度と彩度が共に高い映像９５１では、図２１のＡの駆動方法によって通常駆動が行われ、輝度と彩度が共に低い映像９６１では、図２１のＢの駆動方法によってインパルス駆動が行われるようにする。
【０２１８】
すなわち、図２１のＢの駆動方法では、一定の電流I42（I42 > I41）で、かつ、点灯期間T42（T42 < T41）の間だけ、自発光表示部２３の自発光素子を点灯させるインパルス駆動が行われ、図２１のＡの駆動方法（通常駆動）と比べて、点灯期間が短くなった分だけ、消灯期間が長くなるので、動画ボケを改善することができる。
【０２１９】
それに対し、図２１のＡの駆動方法では、動画ボケの改善効果は抑制されるが、図２１のＢの駆動方法（インパルス駆動）と比べて、電流の大きさを下げているため（I41 < I42）、消費電力の増加を最小限に抑えることができる。その結果として、自発光素子の印加電流が高くなるのを抑えて、局所的にデバイスが劣化するのを抑制することができる。
【０２２０】
このように、第５の実施の形態では、自発光型表示装置２０において、自発光素子（例えばOLED）を含む画素を２次元状に配置した自発光表示部２３（デバイス）の寿命を考慮して、印加される電流値が大きい画素が多いパターンでは、動画ボケの改善効果を抑制する。これにより、局所的なデバイスの劣化を抑制することが可能となる。
【０２２１】
なお、印加電流に関しては、輝度や彩度に関する情報を用いるのではなく、画素に印加されるレベル（画素レベル）から判定してもよい。そこで、以下、輝度や彩度に関する情報を用いた構成を図２２に示し、画素レベルを用いた構成を図２３に示す。
【０２２２】
（信号処理部の構成）
図２２は、第５の実施の形態の信号処理部の構成の第１の例を示すブロック図である。すなわち、図２２は、輝度や彩度に関する情報を用いる場合の信号処理部２１の構成を示している。
【０２２３】
図２２において、信号処理部２１は、動画ボケ映像検出部１０１、点灯期間演算部１０２、電流値演算部１０３、駆動制御部１０４、及び彩度情報取得部７１１を含む。すなわち、図２２の信号処理部２１においては、図４の信号処理部１１の構成と比べて、彩度情報取得部７１１が新たに追加されている。
【０２２４】
動画ボケ映像検出部１０１においては、図４の構成で説明したように、映像情報取得部１１１、輝度情報取得部１１２、及び解像度情報取得部１１３によって、映像情報、輝度情報、及び解像度情報が取得される。動画ボケ映像検出部１０１により検出される映像情報、輝度情報、及び解像度情報は、映像コンテンツの特徴量であり、これらの特徴量によって、動画ボケ映像が検出されることになる。
【０２２５】
彩度情報取得部７１１は、映像コンテンツの映像信号に対する彩度情報取得処理を行い、その処理結果を、彩度情報として、点灯期間演算部１０２に供給する。
【０２２６】
ここで、彩度情報は、映像全体の鮮やかさに関する特性を示す値であり、この彩度情報取得処理では、例えば、映像を構成する領域（例えば画素に対応する領域）ごとの彩度に基づき、彩度情報が取得される。なお、ここでは、彩度情報として、例えば、各領域の彩度の統計値（例えば、平均値、中央値、最頻値、合計値等）等を算出してもよい。
【０２２７】
また、動画ボケの改善効果の抑制に用いられる輝度情報は、輝度情報取得部１１２により取得されるが、映像全体の明るさに関する特性を示す値とされる。すなわち、ここでの輝度情報は、上述のピーク輝度情報とは異なる。
【０２２８】
このように、彩度情報取得部７１１により取得される彩度情報、及び輝度情報取得部１１２により取得される輝度情報は、映像コンテンツの特徴量であるが、ここでは、この彩度情報及び輝度情報に基づき、動画ボケの改善効果を抑制する。すなわち、自発光型表示装置２０では、映像情報等の特徴量によって動画ボケ映像が検出された場合でも、輝度情報及び彩度情報に基づき、印加される電流値が大きい画素が多いパターンとなるときには、動画ボケの改善効果が抑制されるようにする。
【０２２９】
点灯期間演算部１０２、電流値演算部１０３、及び駆動制御部１０４においては、図４の構成で説明したように、動画ボケ映像検出部１０１からの動画ボケ映像の検出結果、並びに輝度情報取得部１１２からの輝度情報、及び彩度情報取得部７１１からの彩度情報に基づき、自発光表示部２３の自発光素子（例えば、OLED）を点灯させるための駆動制御信号（OLED駆動制御信号）が生成される。
【０２３０】
なお、図２２においては、輝度情報及び彩度情報に基づき、印加される電流値が大きい画素が多いと判定される場合に、動画ボケの改善効果を抑制する構成を示したが、輝度情報及び彩度情報は、少なくとも一方の情報が用いられればよい。また、輝度情報及び彩度情報は、画素（に含まれる自発光素子）に印加される印加電流と相関があるため、当該印加電流に関する印加電流情報であるとも言える。
【０２３１】
（信号処理部の他の構成）
図２３は、第５の実施の形態の信号処理部の構成の第２の例を示すブロック図である。すなわち、図２３は、画素レベルを用いる場合の信号処理部２１の構成を示している。
【０２３２】
図２３において、信号処理部２１は、動画ボケ映像検出部１０１、点灯期間演算部１０２、電流値演算部１０３、駆動制御部１０４、及び画素レベル生成部７１２を含む。すなわち、図２３の信号処理部２１においては、図４の信号処理部１１の構成と比べて、画素レベル生成部７１２が新たに追加されている。
【０２３３】
動画ボケ映像検出部１０１においては、図４の構成で説明したように、映像情報取得部１１１、輝度情報取得部１１２、及び解像度情報取得部１１３によって、映像情報、輝度情報、及び解像度情報が取得される。
【０２３４】
画素レベル生成部７１２は、映像コンテンツの映像信号に対する画素レベル生成処理を行い、その処理結果を、画素レベルとして、点灯期間演算部１０２及び電流値演算部１０３に供給する。
【０２３５】
この画素レベル生成処理では、例えば、各画素がＲＧＢの３原色のサブ画素と白色（Ｗ）のサブ画素を含んだＲＧＢＷの４色画素構造を有する場合に、画素ごとに、ＲＧＢＷ信号に応じたレベルが生成される。また、画素レベルは、画素（に含まれる自発光素子）に印加される印加電流と相関があるため、当該印加電流に関する印加電流情報であるとも言える。
【０２３６】
点灯期間演算部１０２、電流値演算部１０３、及び駆動制御部１０４においては、動画ボケ映像検出部１０１からの動画ボケ映像の検出結果、及び画素レベル生成部７１２からの画素レベルに基づき、自発光表示部２３の自発光素子（例えば、OLED）を点灯させるための駆動制御信号（OLED駆動制御信号）が生成される。
【０２３７】
（インパルス駆動判定処理の流れ）
次に、図２４のフローチャートを参照して、第５の実施の形態の信号処理部により実行されるインパルス駆動判定処理の流れを説明する。
【０２３８】
ステップＳ５１乃至Ｓ５３においては、図７のステップＳ１１乃至Ｓ１３と同様に、ステップＳ５１の判定処理で動画量が少ないと判定された場合、ステップＳ５２の判定処理でエッジ部分が少ないと判定された場合、又はステップＳ５３の判定処理で明るさを重視する駆動を行うと判定された場合、処理は、ステップＳ５５に進められ、通常駆動が行われるようにする（Ｓ５５）。
【０２３９】
また、ステップＳ５１の判定処理で動画量が多いと判定された後に、ステップＳ５２の判定処理でエッジ部分が多いと判定され、さらにステップＳ５３の判定処理で明るさを重視しない駆動を行うと判定された場合、処理は、ステップＳ５４に進められる。
【０２４０】
ステップＳ５４において、信号処理部２１は、印加電流が閾値を超える画素が多いかどうかを判定する。
【０２４１】
このステップＳ５４の判定処理では、輝度情報取得部１１２（図２２）により取得された輝度情報、及び彩度情報取得部７１１（図２２）により取得された彩度情報から特定される印加電流と、あらかじめ設定される印加電流判定用の閾値とを比較することで、印加電流が閾値を超える画素が多いかどうかが判定される。また、ステップＳ５４の判定処理では、画素レベル生成部７１２（図２３）により生成された画素レベルに応じた印加電流と、印加電流判定用の閾値とを比較して、印加電流が閾値を超える画素が多いかどうかを判定してもよい。
【０２４２】
ステップＳ５４において、印加電流が閾値を超える画素が多いと判定された場合、処理は、ステップＳ５５に進められる。ステップＳ５５において、信号処理部２１は、自発光表示部２３の自発光素子の駆動が、通常駆動により行われるようにする。この通常駆動が行われるケースとしては、例えば、色鮮やかな物体を含む映像を表示する場合などが想定される。
【０２４３】
また、ステップＳ５４において、印加電流が閾値を超える画素が少ないと判定された場合、処理は、ステップＳ５６に進められる。ステップＳ５６において、信号処理部２１は、自発光表示部２３の自発光素子の駆動が、インパルス駆動により行われるようにする。このインパルス駆動が行われるケースとしては、例えばくすんだ色の物体を含む映像を表示する場合などが想定される。
【０２４４】
以上、インパルス駆動判定処理の流れを説明した。なお、図２４のインパルス駆動判定処理における各判定処理（Ｓ５１，Ｓ５２，Ｓ５３，Ｓ５４）の順序は任意であり、また全ての判定処理を行う必要もない。また、判定用の閾値は、各種の条件に応じて適切な値を設定することができる。
【０２４５】
以上、第５の実施の形態では、映像コンテンツの特徴量を検出して、その検出結果に基づき、自発光表示部２３の自発光素子（例えばOLED）の駆動を制御する際に、自発光素子の印加電流が高くなる場合には、動画ボケの改善効果を抑制する制御が行われるようにしている。そのため、自発光型表示装置２０において、自発光表示部２３における局所的なデバイスの劣化を抑制することができる。
【０２４６】
＜６．表示装置の構成＞
【０２４７】
図２５は、本技術を適用した液晶表示装置の詳細な構成の例を示す図である。
【０２４８】
CPU１０００は、各種の演算処理や各部の動作制御など、液晶表示装置１０における中心的な処理装置として動作する。
【０２４９】
また、CPU１０００は、図示しない近接無線通信モジュール又は赤外線通信モジュール等と接続されている。CPU１０００は、それらの通信モジュールを介して、視聴者の操作に応じてリモートコントローラ（不図示）から送信されてくる操作信号を受信し、受信した操作信号に応じて各部の動作を制御する。なお、近距離無線通信としては、例えば、Bluetooth（登録商標）規格に準拠した通信を行うことができる。
【０２５０】
例えば、視聴者がリモートコントローラを操作して所望の設定を行う場合、CPU１０００の制御によって、リモートコントローラからの操作信号に応じた設定メニュー等のGUI（グラフィックス）が、液晶表示部１３に表示される。また、このとき、CPU１０００は、必要に応じて、図示しないメモリに保持されている設定メニュー等のGUIに関するGUI重畳量（グラフィック量）を、駆動部１００３（の信号処理部１１（図１７））に供給可能である。なお、このメモリには、例えばGUIのGUI重畳量（例えばサイズ等）等のGUI情報があらかじめ記憶されている。
【０２５１】
電源供給部１００１は、外部のAC電源と接続され、受電したAC電源を所定電圧のDC電源に変換して、DC/DCコンバータ１００２に供給する。DC/DCコンバータ１００２は、電源供給部１００１から供給される電源電圧をDC/DC変換し、駆動部１００３及びシステムオンチップ１０１３を含む各部に供給する。なお、各部に供給される電源電圧は、それぞれ異なるものでもよいし、同一であってもよい。
【０２５２】
駆動部１００３は、システムオンチップ１０１３から供給される映像信号に基づいて、液晶表示部１３及びバックライト１５を駆動し、映像を表示させる。なお、駆動部１００３は、図１に示した信号処理部１１、表示駆動部１２、及びバックライト駆動部１４に対応している。
【０２５３】
HDMI端子１００４−１乃至１００４−３のそれぞれは、各端子の接続先の外部機器（例えば光ディスク再生用のプレイヤ等）とHDMI（登録商標）(High Definition Multimedia Interface)規格に準拠した信号の授受を行う。HDMIスイッチ１００５は、HDMI規格に準拠した制御信号に基づき、HDMI端子１００４−１乃至１００４−３を適宜切り替えて、HDMI端子１００４−１乃至１００４−３に接続されている外部機器と、システムオンチップ１０１３との間で授受されるHDMI信号の中継を行う。
【０２５４】
アナログAV入力端子１００６は、外部機器からのアナログのAV(Audio and Visual)信号を入力させ、システムオンチップ１０１３に供給する。アナログ音声出力端子１００７は、システムオンチップ１０１３から供給されるアナログの音声信号を、接続先の外部機器に出力する。
【０２５５】
USB(Universal Serial Bus)端子入力部１００８は、USB端子が接続されるコネクタである。例えば、USB端子入力部１００８には、外部装置として、半導体メモリやHDD(Hard Disk Drive)等の記憶装置が接続され、システムオンチップ１０１３との間で、USB規格に準拠した信号の授受を行う。
【０２５６】
チューナ１００９は、アンテナ端子１０１０を介してアンテナ（不図示）と接続されており、アンテナで受信された電波から、所定のチャンネルの放送信号を取得して、システムオンチップ１０１３に供給する。なお、チューナ１００９により受信される電波は、例えば、地上デジタル放送の放送信号とされる。
【０２５７】
CASカードI/F１０１１には、例えば地上デジタル放送のスクランブルを解くための暗号キーが記憶さされているB-CAS（登録商標）カード１０１２が挿入される。CASカードI/F１０１１は、B-CASカード１０１２に記憶されている暗号キーを読み出し、システムオンチップ１０１３に供給する。
【０２５８】
システムオンチップ１０１３は、例えば、映像信号及び音声信号のA/D（Analog to Digital）変換やD/A（Digital to Analog）変換の処理、放送信号のスクランブル解除処理やデコード処理などの処理を行う。
【０２５９】
オーディオアンプ１０１４は、システムオンチップ１０１３から供給されるアナログの音声信号を増幅し、スピーカ１０１５に供給する。スピーカ１０１５は、オーディオアンプ１０１４からのアナログの音声信号に応じた音声を出力する。
【０２６０】
通信部１０１６は、無線LAN(Local Area Network)等の無線通信、イーサネット（登録商標）等の有線通信、又はセルラ方式の通信（例えばLTE-Advancedや5G等）などに対応した通信モジュールとして構成される。通信部１０１６は、ホームネットワークやインターネット等のネットワークを介して、外部機器やサーバ等と接続して、システムオンチップ１０１３との間で、各種のデータの授受を行う。
【０２６１】
なお、図２５に示した液晶表示装置１０の構成は、一例であって、例えば、イメージセンサとカメラISP(Image Signal Processor)等の信号処理部を含むカメラ部、周辺に関する様々な情報を得るためのセンシングを行う各種のセンサを含むセンサ部などを含めてもよい。また、液晶表示装置１０では、液晶表示部１３として、その画面上にタッチパネルを重畳したものを設けたり、あるいは、物理的なボタンを設けたりしてもよい。
【０２６２】
また、図２５においては、液晶表示装置１０の構成について説明したが、駆動部１００３として、図２に示した信号処理部２１及び表示駆動部２２に対応したものを設けるとともに、液晶表示部１３及びバックライト１５の代わりに、自発光表示部２３を設ければ、自発光型表示装置２０の構成に対応することになる。
【０２６３】
＜７．変形例＞
【０２６４】
上述した説明では、信号処理部１１は、液晶表示装置１０に含まれるとして説明したが、信号処理部１１を、独立した装置として捉えて、例えば、動画ボケ映像検出部１０１、点灯期間演算部１０２、電流値演算部１０３、及び駆動制御部１０４を含む信号処理装置１１とすることもできる。その場合において、上述した説明では、「信号処理部１１」を、「信号処理装置１１」に読み替えればよい。
【０２６５】
同様にまた、信号処理部２１は、自発光型表示装置２０に含まれるとして説明したが、信号処理部２１を、独立した装置として捉えて、信号処理装置２１とすることもできる。その場合において、上述した説明では、「信号処理部２１」を、「信号処理装置２１」に読み替えればよい。
【０２６６】
また、液晶表示装置１０又は自発光型表示装置２０を用いた電子機器としては、例えば、テレビジョン受像機、ディスプレイ装置、パーソナルコンピュータ、タブレット型コンピュータ、スマートフォン、携帯電話機、デジタルカメラ、ヘッドマウントディスプレイ、ゲーム機などがあるが、それらに限定されるものではない。
【０２６７】
例えば、カーナビゲーションや後部座席モニタ等の車載機器、又は腕時計型や眼鏡型等のウェアラブル機器などの表示部として用いるようにしてもよい。なお、ディスプレイ装置としては、例えば、メディカル用モニタや放送用モニタ、デジタルサイネージ用のディスプレイなどを含む。
【０２６８】
また、映像コンテンツとしては、例えば、地上波放送や衛星放送などにより送信される放送コンテンツや、インターネット等の通信網を介してストリーミング配信される通信コンテンツ、光ディスクや半導体メモリ等の記録媒体に記録された記録コンテンツなど、各種のコンテンツが含まれる。
【０２６９】
なお、液晶表示装置１０の液晶表示部１３や、自発光型表示装置２０の自発光表示部２３には、複数の画素が２次元状に配置されるが、その画素配置構造は、特定の画素配置構造に限定されるものではない。例えば、ＲＧＢの３原色のサブ画素を含む画素のほか、ＲＧＢの３原色のサブ画素と白色（Ｗ）のサブ画素を含んだＲＧＢＷの４色画素構造や、ＲＧＢの３原色のサブ画素と黄色（Ｙ）のサブ画素とを含んだＲＧＢＹの４画素構造などであってもよい。
【０２７０】
また、上述した説明では、液晶表示部１３や自発光表示部２３を説明したが、それらの表示部に限らず、例えば、TFT(Thin Film Transistor)基板上で、MEMS(Micro Electro Mechanical Systems)シャッタを駆動するMEMSディスプレイなど、他の表示部に用いるようにしてもよい。
【０２７１】
さらに、液晶表示部１３のバックライト１５の方式としては、例えば、直下型方式やエッジライト方式（導光板方式）を採用することができる。ここで、バックライト１５の方式として、直下型方式を採用した場合には、上述の図５や図６に示した部分発光部１５１による部分駆動（ブロック単位での駆動）は勿論、例えば、LED等の発光素子のそれぞれが独立して駆動されるようにしてもよい。また、エッジライト方式においては、例えば、導光板を複数枚重ね合わせた方式などにも適用可能である。
【０２７２】
なお、本技術の実施の形態は、上述した実施の形態に限定されるものではなく、本技術の要旨を逸脱しない範囲において種々の変更が可能である。例えば、動画ボケ映像検出部１０１により検出される特徴量の検出方法や、GUI検出部６１１により検出されるGUIの検出方法としては、公知の技術を用いて様々な検出方法を適用することができる。
【０２７３】
また、本技術は、以下のような構成をとることができる。
【０２７４】
（１）
映像コンテンツの特徴量に基づいて、前記映像コンテンツに含まれる映像の中から、動画ボケを視認しやすい映像である動画ボケ映像を検出する検出部を備える
信号処理装置。
（２）
検出された前記動画ボケ映像の検出結果に基づいて、前記映像コンテンツの映像を表示する表示部の発光部の駆動を制御する制御部をさらに備える
前記（１）に記載の信号処理装置。
（３）
前記検出部は、１又は複数設けられ、
前記制御部は、１又は複数の前記検出部により検出される前記動画ボケ映像の視認しやすさの度合いに応じて、前記発光部に対し、インパルス型の駆動が行われるように制御する
前記（２）に記載の信号処理装置。
（４）
前記特徴量は、前記映像コンテンツの映像に含まれる物体の動きを示す動画量を含み、
前記検出部は、前記映像コンテンツから、前記動画量を検出する
前記（３）に記載の信号処理装置。
（５）
前記特徴量は、前記映像コンテンツの映像に含まれるエッジ部分を示すエッジ量を含み、
前記検出部は、前記映像コンテンツから、前記エッジ量を検出する
前記（３）又は（４）に記載の信号処理装置。
（６）
前記特徴量は、前記映像コンテンツの映像の輝度を示す輝度情報を含み、
前記検出部は、前記映像コンテンツから、前記輝度情報を検出する
前記（３）乃至（５）のいずれかに記載の信号処理装置。
（７）
前記制御部は、検出された前記動画量が閾値を超える場合に、前記発光部に対し、インパルス型の駆動が行われるように制御する
前記（４）乃至（６）のいずれかに記載の信号処理装置。
（８）
前記制御部は、検出された前記エッジ量が閾値を超える場合に、前記発光部に対し、インパルス型の駆動が行われるように制御する
前記（４）乃至（７）に記載の信号処理装置。
（９）
前記制御部は、ピーク輝度を重視しない映像の場合に、前記発光部に対し、インパルス型の駆動が行われるように制御する
前記（７）又は（８）に記載の信号処理装置。
（１０）
前記制御部は、インパルス型の駆動時に、前記発光部に対し、通常の駆動時よりも点灯期間を短くするとともに、電流を上げるように駆動を制御する
前記（３）乃至（９）のいずれかに記載の信号処理装置。
（１１）
前記検出部は、前記映像コンテンツの映像の領域を分割した分割領域ごとに、前記動画ボケ映像を検出し、
前記制御部は、前記分割領域ごとの前記動画ボケ映像の検出結果に基づいて、前記分割領域ごとに、前記発光部の駆動を制御する
前記（２）乃至（１０）のいずれかに記載の信号処理装置。
（１２）
前記制御部は、前記映像コンテンツの映像内の全領域の前記動画ボケ映像の検出結果、及び前記分割領域ごとの前記動画ボケ映像の検出結果に基づいて、前記発光部の駆動を制御する
前記（１１）に記載の信号処理装置。
（１３）
前記特徴量は、前記映像コンテンツの映像に含まれるグラフィックスのグラフィック量を含む
前記（３）乃至（９）のいずれかに記載の信号処理装置。
（１４）
前記制御部は、前記グラフィック量が閾値を超える場合、前記発光部に対するインパルス型の駆動を抑制する
前記（１３）に記載の信号処理装置。
（１５）
前記表示部は、液晶表示部を含み、
前記発光部は、前記液晶表示部に対して設けられるバックライトを含み、
前記制御部は、前記動画ボケ映像の視認しやすさの度合いに応じて、前記バックライトの点灯期間及び電流値を制御する
前記（３）乃至（１２）のいずれかに記載の信号処理装置。
（１６）
前記液晶表示部は、表示画面を区分した複数の部分表示領域を含み、
前記バックライトは、各部分表示領域に対応する複数の部分発光部を含み、
前記制御部は、ピーク輝度を重視しない映像の場合に、前記部分発光部に対し、インパルス型の駆動が行われるようにする制御する
前記（１５）に記載の信号処理装置。
（１７）
前記バックライトは、KSF蛍光体を採用したLED(Light Emitting Diode)バックライトを含み、
前記制御部は、前記LEDバックライトに対し、赤色の応答の遅れに起因した残像の度合いに応じた点灯の周期となるように制御する
前記（１５）又は（１６）に記載の信号処理装置。
（１８）
前記制御部は、前記映像コンテンツの映像に含まれる残像の視認性の検出結果に基づき、残像の度合いを判別し、その判別結果に応じて残像を低減するように、前記LEDバックライトの点灯の周期を制御する
前記（１７）に記載の信号処理装置。
（１９）
前記表示部は、自発光表示部を含み、
前記発光部は、自発光素子を含み、
前記自発光素子は、前記自発光表示部に２次元状に配置された画素を構成するサブ画素ごとに設けられ、
前記制御部は、前記動画ボケ映像の視認しやすさの度合いに応じて、前記自発光素子の点灯期間と電流値を制御する
前記（３）乃至（１２）に記載の信号処理装置。
（２０）
前記制御部は、前記画素に印加される印加電流に関する印加電流情報に基づいて、前記発光部の駆動を制御する
前記（１９）に記載の信号処理装置。
（２１）
前記制御部は、前記印加電流が閾値を超える前記画素が所定の条件を満たす場合、前記発光部に対するインパルス型の駆動を抑制する
前記（２０）に記載の信号処理装置。
（２２）
信号処理装置の信号処理方法において、
前記信号処理装置が、
映像コンテンツの特徴量に基づいて、前記映像コンテンツに含まれる映像の中から、動画ボケを視認しやすい映像である動画ボケ映像を検出する
信号処理方法。
（２３）
映像コンテンツの映像を表示する表示部と、
前記映像コンテンツの特徴量に基づいて、前記映像コンテンツに含まれる映像の中から、動画ボケを視認しやすい映像である動画ボケ映像を検出する検出部と、
検出された前記動画ボケ映像の検出結果に基づいて、前記表示部の発光部の駆動を制御する制御部と
を備える表示装置。
【符号の説明】
【０２７５】
１０  液晶表示装置，  １１  信号処理部，  １２  表示駆動部，  １３  液晶表示部，  １４  バックライト駆動部，  １５  バックライト，  １５Ａ  LEDバックライト，  ２０  自発光型表示装置，  ２１  信号処理部，  ２２  表示駆動部，  ２３  自発光表示部，  １０１  動画ボケ映像検出部，  １０２  点灯期間演算部，  １０３  電流値演算部，  １０４  駆動制御部，  １１１  映像情報取得部，  １１２  輝度情報取得部，  １１３  解像度情報取得部，  １５１，１５１Ａ，１５１Ｂ  部分発光部，  ２０１  動画ボケ映像検出部，  ２１１  映像領域分割得部，  ３０１  映像情報取得部，  ３０２  点灯期間演算部，  ３０３  BL駆動制御部，  ３１１  映像情報取得部，  ３１２  点灯期間演算部，  ６１１  GUI検出部，  ６２１  局所映像情報取得部，  ６２２  局所コントラスト情報取得部，  ６２３  局所周波数情報取得部，  ６２４  GUI判別部，  ７１１  彩度情報取得部，  ７１２  画素レベル生成部，  １０００  CPU，  １００３  駆動部
【図１】
2019124254.tif 000003
【図２】
2019124254.tif 000004
【図３】
2019124254.tif 000005
【図４】
2019124254.tif 000006
【図５】
2019124254.tif 000007
【図６】
2019124254.tif 000008
【図７】
2019124254.tif 000009
【図８】
2019124254.tif 000010
【図９】
2019124254.tif 000011
【図１０】
2019124254.tif 000012
【図１１】
2019124254.tif 000013
【図１２】
2019124254.tif 000014
【図１３】
2019124254.tif 000015
【図１４】
2019124254.tif 000016
【図１５】
2019124254.tif 000017
【図１６】
2019124254.tif 000018
【図１７】
2019124254.tif 000019
【図１８】
2019124254.tif 000020
【図１９】
2019124254.tif 000021
【図２０】
2019124254.tif 000022
【図２１】
2019124254.tif 000023
【図２２】
2019124254.tif 000024
【図２３】
2019124254.tif 000025
【図２４】
2019124254.tif 000026
【図２５】
2019124254.tif 000027
【国際調査報告】
2019124254.tif 000028
2019124254.tif 000029
2019124254.tif 000030
2019124254.tif 000031